(57)【要約】【課題】  画像形成装置で作成した文書を適切な保管先に正確に保管することができ、当該文書を一度取り出して元の場所に戻す場合にも、当該文書の保管先を操作者が簡単に把握できるようにする。【解決手段】  収納先管理部が記録紙の収納先となる収納棚及び収納欄を決定し、この収納先を示す収納先情報情報が原稿画像と共に画像形成部１００によって記録紙に記録される。用紙排出機構、用紙振分機構６及びキャビネット７が当該記録紙を上記決定された収納棚及び収納欄まで搬送する。原稿画像が記録された記録紙は、上記決定された収納先となる収納棚及び収納欄まで搬送されるので、操作者の手を介さずに記録紙を収納できる。また、記録紙には収納先情報が記録されるので、当該収納先から記録紙を取り出した場合には、当該記録紙を戻すべき元の収納場所を操作者が明確に把握することができる。【選択図】      図１
2007036898.tif 000002
【特許請求の範囲】
【請求項１】
原稿上の画像を読み取る画像読取手段と、
前記画像読取手段によって読み取られた原稿画像を記録紙に記録する記録手段と、
前記記録手段によって前記原稿画像が記録された記録紙を収納する複数の収納ボックスを有する収納手段と、
前記記録手段によって原稿画像が記録された記録紙の収納先となる前記収納ボックスを決定する収納先決定手段と、
前記記録手段によって前記原稿画像が記録された記録紙を、前記収納先決定手段によって決定された前記収納ボックスに搬送する搬送手段とを備え、
前記記録手段は、前記画像読取手段によって読み取られた原稿画像と共に、前記収納先決定手段によって決定された収納先を示す収納先情報を記録紙に記録する画像形成装置。
【請求項２】
操作者から前記記録紙の収納先を示す収納先情報の入力を受け付ける収納先情報受付手段を更に備え、
前記記録手段は、前記収納先情報受付手段によって受け付けられた収納先情報を、前記画像読取手段によって読み取られた原稿画像と共に前記記録紙に記録し、
前記搬送手段は、前記収納先情報受付手段によって受け付けられた収納先情報が示す前記収納ボックスに前記記録紙を搬送する請求項１に記載の画像形成装置。
【請求項３】
前記画像読取手段によって読み取られた画像のデータを記憶する画像データ記憶手段と、
前記画像データ記憶手段に記憶されている画像データに関連付けて、当該画像データが記録された記録紙の収納先情報を記憶する収納先情報記憶手段と
を備える請求項１又は請求項２に記載の画像形成装置。
【請求項４】
前記収納先情報を記憶する収納先情報記憶手段と、
前記画像読取手段によって読み取られた原稿の画像から抽出した前記収納先情報に基づいて、前記収納先情報記憶手段に記憶されている収納先情報から、当該原稿の収納先が前記収納ボックスのいずれであるかを判別する収納先判別手段と、
前記収納先判別手段によって判別された前記収納ボックスを報知する報知手段と
を備えた請求項１又は請求項２に画像形成装置。
【請求項５】
検索対象とする文書を特定する文書特定情報の入力を受け付ける文書特定情報受付手段と、
前記画像データ記憶手段に記憶されている画像データに関連付けて、当該画像データが記録された記録紙の収納先情報と、当該画像データが記録された記録紙を特定するために当該記録紙に付される文書特定情報とを記憶する情報記憶手段と、
前記文書特定情報受付手段に受け付けられた文書特定情報に一致する文書特定情報を、前記情報記憶手段から検索し、検索された文書特定情報が示す文書の収納先を、前記情報記憶手段に当該文書特定情報に関連付けられて記憶されている収納先情報から判別する収納先判別手段と、
前記収納先判別手段によって判別された収納先を報知する報知手段と
を備えた請求項１又は請求項２に記載の画像形成装置。
【請求項６】
前記収納先情報を記憶する収納先情報記憶手段と、
前記画像読取手段によって読み取られた原稿の画像から抽出した前記収納先情報に基づいて、前記収納先情報記憶手段に記憶されている収納先情報から、当該原稿の収納先が前記収納ボックスのいずれであるかを判別する収納先判別手段とを備え、
前記搬送手段は、前記収納先判別手段によって判別された前記収納ボックスに、前記画像読取手段によって読み取られた原稿を搬送する請求項１又は請求項２に記載の画像形成装置。
【請求項７】
前記複数の収納ボックスは、前記収納手段内に水平方向に並べて配置され、前記記録紙を立てた姿勢で収納する構成とされ、
前記搬送手段は、前記収納先情報に従って、前記水平方向に並べて配置された各収納ボックスのいずれかに、前記記録紙を立てた状態で水平方向に搬送する請求項１乃至請求項６のいずれかに記載の画像形成装置。
【請求項８】
前記複数の収納ボックスは、前記収納手段内に縦方向に並べて配置され、前記記録紙を立てた姿勢で収納し、
前記搬送手段は、前記収納先情報に従って、前記縦方向に並べて配置された各収納ボックスのいずれかに、前記記録紙を搬送する請求項１乃至請求項６のいずれかに記載の画像形成装置。
【請求項９】
前記収納ボックスの底面部は、当該画像形成装置の前面側から背面側に向かう下り勾配の傾斜を有する請求項７又は請求項８に記載の画像形成装置。
【請求項１０】
前記収納ボックスは、前記収納手段内に縦方向に並べて配置されて前記記録紙を立てた姿勢で収納する複数の第１収納ボックスと、当該各収納ボックス内には水平方向に並べて配置されて前記記録紙を立てた姿勢で収納する複数の第２収納ボックスとを備え、
前記搬送手段は、前記第１収納ボックスのいずれかに対して前記記録紙を搬送する第１搬送手段と、前記各第１収納ボックス内に設けられ、前記第２収納ボックスのいずれかに対して前記記録紙を立てた状態で水平方向に搬送する第２搬送手段とを備える請求項１乃至請求項６のいずれかに記載の画像形成装置。
【発明の詳細な説明】
【技術分野】
【０００１】
本発明は、スキャナ等の画像読取手段によって読み取られた画像を記録紙に記録する画像形成装置に関する。
【背景技術】
【０００２】
従来から、画像形成装置によって出力された記録紙（文書）の保管は、人の手を介して行われている。この場合、人が各文書の保管先を決定して、保管すべき場所に文書を保管する。また、今日では、電子データ化した文書を、その種別に応じて系統的に分類してデータベース化することで容易に検索できるファイリングシステム等が提案されている。さらに、廃棄を目的とする文書を効率良くファイリングすることで、文書の円滑な廃棄処理を支援する文書廃棄支援システムも提案されている（特許文献１参照）。
【特許文献１】特開平１１−３３９０２４号公報参照
【発明の開示】
【発明が解決しようとする課題】
【０００３】
しかし、画像形成装置で作成した文書の保管及び管理に、人の手を介する作業を介在させると、保管すべき場所に正確に保管されたかが明確にならないという問題がある。また、保管場所から一度取り出した文書を再び保管する際には、当該文書を正確に元の場所に戻すには、当該文書の保管先を操作者が調べ直さなければならないという問題がある。この問題は、上記特許文献１に示された文書廃棄支援システムによっても解消することはできない。
【０００４】
本発明は、上記の問題を解決するためになされたもので、画像形成装置で作成した文書を適切な保管先に正確に保管することができ、当該文書を一度取り出して元の場所に戻す場合にも、当該文書の保管先を操作者が簡単に把握できる画像形成装置を提供することを目的とするものである。
【課題を解決するための手段】
【０００５】
本発明の請求項１に記載の発明は、原稿上の画像を読み取る画像読取手段と、
前記画像読取手段によって読み取られた原稿画像を記録紙に記録する記録手段と、
前記記録手段によって前記原稿画像が記録された記録紙を収納する複数の収納ボックスを有する収納手段と、
前記記録手段によって原稿画像が記録された記録紙の収納先となる前記収納ボックスを決定する収納先決定手段と、
前記記録手段によって前記原稿画像が記録された記録紙を、前記収納先決定手段によって決定された前記収納ボックスに搬送する搬送手段とを備え、
前記記録手段は、前記画像読取手段によって読み取られた原稿画像と共に、前記収納先決定手段によって決定された収納先を示す収納先情報を記録紙に記録する画像形成装置である。
【０００６】
この構成では、収納先決定手段が記録紙の収納先となる収納ボックスを決定し、この収納先を示す情報が原稿画像と共に記録手段によって記録紙に記録され、搬送手段が、当該記録紙を、収納先決定手段で決定された収納ボックスに搬送する。このため、原稿画像が記録された記録紙は、上記決定された収納先まで搬送されるので、操作者の手を介さずに収納手段に記録紙を収納することができる。また、記録紙には収納先情報が記録されているので、この収納先情報の表記を操作者が解読可能な文字等とした場合には、当該収納先から記録紙を取り出したときに、当該記録紙を戻すべき元の収納場所を操作者が明確に把握することができる。
【０００７】
また、請求項２に記載の発明は、請求項１に記載の画像形成装置であって、操作者から前記記録紙の収納先を示す収納先情報の入力を受け付ける収納先情報受付手段を更に備え、
前記記録手段は、前記収納先情報受付手段によって受け付けられた収納先情報を、前記画像読取手段によって読み取られた原稿画像と共に前記記録紙に記録し、
前記搬送手段は、前記収納先情報受付手段によって受け付けられた収納先情報が示す前記収納ボックスに前記記録紙を搬送するものである。
【０００８】
この構成によれば、収納先情報受付手段に操作者から受け付けられた収納先情報が原稿画像と共に記録手段によって記録紙に記録され、当該収納先情報が示す収納ボックスに、搬送手段が当該記録紙を搬送する。このため、操作者は、原稿画像が記録された記録紙を所望の収納先へ保管させることが可能となる。
【０００９】
また、請求項３に記載の発明は、請求項１又は請求項２に記載の画像形成装置であって、前記画像読取手段によって読み取られた画像のデータを記憶する画像データ記憶手段と、
前記画像データ記憶手段に記憶されている画像データに関連付けて、当該画像データが記録された記録紙の収納先情報を記憶する収納先情報記憶手段と
を備えるものである。
【００１０】
この構成によれば、収納先記憶手段に、画像読取手段によって読み取られた原稿画像のデータに関連付けて、当該画像データが記録された記録紙の収納先を示す収納先情報が記憶されるので、原稿画像の電子データと、これと同一画像が記録された紙媒体からなる文書の保管先をリンクさせて管理することができる。
【００１１】
また、請求項４に記載の発明は、請求項１又は請求項２に画像形成装置であって、前記収納先情報を記憶する収納先情報記憶手段と、
前記画像読取手段によって読み取られた原稿の画像から抽出した前記収納先情報に基づいて、前記収納先情報記憶手段に記憶されている収納先情報から、当該原稿の収納先が前記収納ボックスのいずれであるかを判別する収納先判別手段と、
前記収納先判別手段によって判別された前記収納ボックスを報知する報知手段と
を備えたものである。
【００１２】
この構成によれば、操作者が、画像読取手段に、収納先情報が記録された記録紙を読み取らせれば、収納先判別手段が、画像読取手段が読み取った原稿画像から収納先情報を抽出して、収納先情報記憶手段に記憶されている収納先情報から、当該記録紙の収納先となる収納ボックスを判別し、当該判別した収納ボックスを報知手段が報知するので、操作者は、画像読取手段に読み取らせた記録紙の収納先、すなわち、当該文書をどの収納ボックスに戻せばよいかを簡単に把握することができる。
【００１３】
また、請求項５に記載の発明は、請求項１又は請求項２に記載の画像形成装置であって、検索対象とする文書を特定する文書特定情報の入力を受け付ける文書特定情報受付手段と、
前記画像データ記憶手段に記憶されている画像データに関連付けて、当該画像データが記録された記録紙の収納先情報と、当該画像データが記録された記録紙を特定するために当該記録紙に付される文書特定情報とを記憶する情報記憶手段と、
前記文書特定情報受付手段に受け付けられた文書特定情報に一致する文書特定情報を、前記情報記憶手段から検索し、検索された文書特定情報が示す文書の収納先を、前記情報記憶手段に当該文書特定情報に関連付けられて記憶されている収納先情報から判別する収納先判別手段と、
前記収納先判別手段によって判別された収納先を報知する報知手段と
を備えたものである。
【００１４】
この構成によれば、操作者が、文書特定情報受付手段に、検索対象とする文書の文書特定情報を入力すれば、収納先判別手段が、当該文書特定情報に基づいて、情報記憶手段に記憶されている文書特定情報及び収納先情報に基づいて、当該原稿の収納先となる収納ボックスを判別し、当該判別した収納ボックスを報知手段が報知するので、操作者は、探している文書の収納先や、一度取り出した文書をどの収納ボックスに戻せばよいか等を簡単に把握することができる。
【００１５】
また、請求項６に記載の発明は、請求項１又は請求項２に記載の画像形成装置であって、前記収納先情報を記憶する収納先情報記憶手段と、
前記画像読取手段によって読み取られた原稿の画像から抽出した前記収納先情報に基づいて、前記収納先情報記憶手段に記憶されている収納先情報から、当該原稿の収納先が前記収納ボックスのいずれであるかを判別する収納先判別手段とを備え、
前記搬送手段は、前記収納先判別手段によって判別された前記収納ボックスに、前記画像読取手段によって読み取られた原稿を搬送するものである。
【００１６】
この構成によれば、画像読取手段に、収納先情報が記録された記録紙を読み取らせれば、収納先判別手段が、画像読取手段が読み取った原稿画像から収納先情報を抽出し、収納先情報記憶手段に記憶されている収納先情報から、当該原稿の収納先が収納ボックスのいずれであるかを判別し、この収納ボックスに搬送手段が当該記録紙を搬送するので、操作者は、当該記録紙を適切な保管場所に保管する作業を行わなくても、当該記録紙が適切な保管場所に収納される。
【００１７】
また、請求項７に記載の発明は、請求項１乃至請求項６のいずれかに記載の画像形成装置であって、前記複数の収納ボックスは、前記収納手段内に水平方向に並べて配置され、前記記録紙を立てた姿勢で収納する構成とされ、
前記搬送手段は、前記収納先情報に従って、前記水平方向に並べて配置された各収納ボックスのいずれかに、前記記録紙を立てた状態で水平方向に搬送するものである。
【００１８】
この構成によれば、搬送手段が、水平方向に並べて配置された各収納ボックスのいずれかに、収納先情報に従って記録紙を立てた状態で水平方向に搬送するので、記録紙の収納場所を、水平方向において異なる位置の収納ボックスに振り分けることが可能となる。また、収納ボックスに記録紙が立った状態で収納されるので、操作者が収納ボックスから記録紙を取り出しやすい。
【００１９】
また、請求項８に記載の発明は、請求項１乃至請求項６のいずれかに記載の画像形成装置であって、前記複数の収納ボックスは、前記収納手段内に縦方向に並べて配置され、前記記録紙を立てた姿勢で収納し、
前記搬送手段は、前記収納先情報に従って、前記縦方向に並べて配置された各収納ボックスのいずれかに、前記記録紙を搬送するものである。
【００２０】
この構成によれば、搬送手段が、縦方向に並べて配置された各収納ボックスのいずれかに、収納先情報に従って搬送するので、記録紙の収納場所を、縦方向において異なる位置の収納ボックスに振り分けることが可能となる。また、収納ボックスに記録紙が立った状態で収納されるので、操作者が収納ボックスから記録紙を取り出しやすい。
【００２１】
また、請求項９に記載の発明は、請求項７又は請求項８に記載の画像形成装置であって、前記収納ボックスの底面部は、当該画像形成装置の前面側から背面側に向かう下り勾配の傾斜を有するものである。
【００２２】
この構成によれば、収納ボックスの底面部が上記傾斜とされているので、記録紙は各収納ボックス内で画像形成装置の背面側に向かって上部が傾き、収納ボックス内で整然と配列される。そのため、記録紙がその自重によりばらばらな方向に倒れてしまって収拾がつかなくなるという事態を回避することができる。
【００２３】
また、請求項１０に記載の発明は、請求項１乃至請求項６のいずれかに記載の画像形成装置であって、前記収納ボックスは、前記収納手段内に縦方向に並べて配置されて前記記録紙を立てた姿勢で収納する複数の第１収納ボックスと、当該各収納ボックス内には水平方向に並べて配置されて前記記録紙を立てた姿勢で収納する複数の第２収納ボックスとを備え、
前記搬送手段は、前記第１収納ボックスのいずれかに対して前記記録紙を搬送する第１搬送手段と、前記各第１収納ボックス内に設けられ、前記第２収納ボックスのいずれかに対して前記記録紙を立てた状態で水平方向に搬送する第２搬送手段とを備えるものである。
【００２４】
この構成によれば、搬送手段が、水平方向及び縦方向に並べて配置された各収納ボックスのいずれかに、記録紙を搬送するので、記録紙の収納場所を、水平方向及び縦方向において異なる位置の様々な収納ボックスに振り分けることが可能となり、また、収納ボックスに記録紙が立った状態で収納されるので、操作者が収納ボックスから記録紙を取り出しやすい。
【発明の効果】
【００２５】
請求項１に記載の発明によれば、原稿画像が記録された記録紙は、操作者の手を介することなく、上記決定された収納先まで搬送されて収納されるので、作成した文書を適切な保管先に正確に保管することができる。また、記録紙には収納先情報が記録されているので、この収納先情報の表記を操作者にとって解読可能な文字等とした場合には、操作者は、当該収納先から記録紙を取り出したときに、当該記録紙を戻すべき元の収納場所を明確に把握することができる。
【００２６】
請求項２に記載の発明によれば、操作者から受け付けられた収納先情報が示す収納ボックスに当該記録紙が搬送されるので、操作者は、原稿画像が記録された記録紙を所望の収納先へ保管させることが可能となる。
【００２７】
請求項３に記載の発明によれば、原稿画像の電子データと、これと同一画像が記録された紙媒体からなる文書の保管先をリンクさせて管理することができる。
【００２８】
請求項４に記載の発明によれば、操作者が、収納先情報が記録された記録紙を画像読取手段に読み取らせれば、当該記録紙の収納先が報知されるので、操作者は、当該記録紙の収納先、すなわち、当該文書をどの収納ボックスに戻せばよいかを簡単に把握することができる。
【００２９】
請求項５に記載の発明によれば、操作者が、検索対象とする文書の文書特定情報を文書特定情報受付手段に入力すれば、当該文書の収納先である収納ボックスが報知されるので、操作者は、探している文書の収納先や、一度取り出した文書をどの収納ボックスに戻せばよいか等を簡単に把握することができる。
【００３０】
請求項６に記載の発明によれば、操作者が、収納先情報が記録された記録紙を画像読取手段に読み取らせれば、当該記録紙の収納先である適切な収納ボックスに当該記録紙が搬送されるので、操作者は、当該記録紙を適切な保管場所に保管する作業を行わなくても、当該記録紙が適切な保管場所に収納することができる。
【００３１】
請求項７に記載の発明によれば、記録紙の収納場所を、水平方向において異なる位置の収納ボックスに振り分けることが可能となる。また、収納ボックスに記録紙が立った状態で収納されるので、操作者が収納ボックスから記録紙を取り出しやすい。
【００３２】
請求項８に記載の発明によれば、記録紙の収納場所を、縦方向において異なる位置の収納ボックスに振り分けることが可能となる。また、収納ボックスに記録紙が立った状態で収納されるので、操作者が収納ボックスから記録紙を取り出しやすい。
【００３３】
請求項９に記載の発明によれば、収納ボックスの底面部が上記傾斜とされているので、記録紙は各収納ボックス内で画像形成装置の背面側に向かって上部が傾き、収納ボックス内で整然と配列される。そのため、記録紙がその自重によりばらばらな方向に倒れてしまって収拾がつかなくなるという事態を回避することができる。
【００３４】
請求項１０に記載の発明によれば、記録紙の収納場所を、水平方向及び縦方向において異なる位置の様々な収納ボックスに振り分けることが可能となる。また、収納ボックスに記録紙が立った状態で収納されるので、操作者が収納ボックスから記録紙を取り出しやすい。
【発明を実施するための最良の形態】
【００３５】
以下、本発明に係る実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。複合機１は、画像形成部（記録手段）１００を備えた本体部２と、この本体部２の上部に設置された原稿押えを兼用する原稿搬送機構３及び原稿読取部４と、本体部２の下部に設置された給紙部５と、用紙振分機構６と、キャビネット（収納手段）７とからなる。
【００３６】
原稿搬送機構３は、原稿載置部３０１と、搬入ローラ対等を備えた搬入駆動部３０２と、搬送ローラ対３０３と、排出ローラ対３０４と、排紙台３０５と、原稿の有無を検出する原稿検出スイッチ３０６とを備え、原稿載置部３０１に載置された原稿を自動的に一枚ずつコンタクトガラス４０２に接触させつつ搬送し、原稿の露光走査後に排紙台３０５に排出するものである。
【００３７】
原稿読取部（画像読取手段）４は、光学的に取得した原稿の画像から画像データを生成するスキャナ部（画像読取手段、図略）等からなり、その上面にコンタクトガラス４０１とコンタクトガラス４０２とを備える。そして、原稿読取部４は、コンタクトガラス４０１上に載置された原稿、あるいは原稿搬送機構３によってコンタクトガラス４０２に接するようにして搬送される原稿から得られた画像データをスキャナ部で読み取って、後述する制御部に出力する。
【００３８】
給紙部５は、サイズ、縦横向きの種類毎の用紙が収納される給紙カセット５０１，５０２および手差し給紙部５０３を備える。また、給紙部５は、給紙カセット５０１，５０２から画像形成部１００へ用紙を搬送する搬送路５０４と、手差し給紙部５０３から画像形成部１００へ用紙を搬送する搬送路５０５とを備える。各給紙カセット５０１，５０２および手差し給紙部５０３は、収納されている用紙（記録紙）を取り出すためのピックアップローラ５０６，５０７，５０８と、用紙を１枚ずつ搬送路に送り出す給紙ローラ対５０９，５１０，５１１とを備える。
【００３９】
搬送路５０４は、用紙を搬送する搬送ローラ対５１２，５１３と、画像形成部１００の手前で搬送されてくる用紙を所定位置に待機させるためのレジストローラ対５１４とを備える。また、搬送路５０５は、レジストローラ対５１４の上流側で搬送路５０４と合流している。
【００４０】
画像形成部１００は、回転可能に支持されたドラム状の感光体１０１と、この感光体１０１の周囲に配設された帯電部１０２と、現像部１０３と、クリーニング部１０４と、レーザ走査ユニット１０５と、転写ローラ１０６と、定着ローラ対１０７とを備えている。帯電部１０２は、感光体１０１の表面を所定電位に均一に帯電させるものである。レーザ走査ユニット１０５は、制御部１０（図７）から送信された画像データに基づきレーザービームを感光体１０１の表面に照射し、感光体１０１表面に静電潜像を形成するものである。
【００４１】
また、現像部１０３は、静電潜像にトナーを付着させて画像を顕在化させるものであり、転写ローラ１０６は、顕在化したトナー像を用紙に転写するものであり、定着ローラ対１０７は、用紙に転写されたトナー像を定着させるものである。また、クリーニング部１０４は、画像転写後に感光体１０１の表面に残留しているトナーを清掃するものである。
【００４２】
また、本体部２の上部には、用紙排出部１０８が設けられ、定着ローラ対１０７から搬送されてきた用紙が、排出ローラ対１０９により搬送され、用紙排出部１０８に排出される。また、排出ローラ対１１０は、定着ローラ対１０７から搬送されてきた用紙を用紙振分機構６に排出するもので、制御部１０からの制御信号に応じて駆動される排出分岐ガイド１１１により、用紙の排出方向を排出ローラ対１０９側と排出ローラ対１１０側とに切り換え可能になっている。
【００４３】
また、記録紙の両面に画像を形成する場合は、画像形成部１００で記録紙の一方の面に画像を形成した後、この記録紙を排出ローラ対１０９にニップされた状態とする。この状態で排出ローラ対１０９を反転させて記録紙をスイッチバックさせ、記録紙を用紙搬送路Ｌに送って画像形成部１００の上流域に再度搬送し、画像形成部１００により他方の面に画像を形成した後、記録紙を用紙排出部１０８に排出、又は用紙振分機構６に搬送する。
【００４４】
用紙振分機構６は、本体部２の排出ローラ対１１０から排出される記録紙を、キャビネット７の各収納棚（収納ボックス、第１収納ボックス）７１，７２，７３のいずれかに振り分けて搬送するものである。用紙振分機構６内に設けられた搬送路６０は、本体部２側の端部が、排出ローラ対１１０近傍の本体部２に設けられた用紙排出口に連結し、記録紙搬送方向下流側が、キャビネット７の収納棚７１に向かう用紙搬送路６１と、収納棚７２，７３に向かう用紙搬送路６２とに分岐している。用紙搬送路６２は、更に、収納棚７２に向かう用紙搬送路６２２と、収納棚７３に向かう用紙搬送路６２３とに分岐している。
【００４５】
収納棚７１に向かう用紙搬送路６１と、収納棚７２，７３に向かう用紙搬送路６２の分岐点には、搬送路６０を搬送されてくる記録紙の排出先を用紙搬送路６１又は用紙搬送路６２のいずれかに切り換える分岐ガイド６３が設けられている。この分岐ガイド６３は、回転軸６３１を支点として回動可能に構成され、制御部１０からの制御信号に応じて動作が駆動制御される。
【００４６】
収納棚７２に向かう用紙搬送路６２２と、収納棚７３に向かう用紙搬送路６２３との分岐点にも、用紙搬送路６２を搬送されてくる記録紙の排出先を用紙搬送路６２２又は用紙搬送路６２３に切り換える分岐ガイド６４が設けられている。この分岐ガイド６４も、回転軸６４１を支点として回動可能に構成され、制御部１０からの制御信号に応じて動作が駆動制御される。また、用紙搬送路６１、用紙搬送路６２、用紙搬送路６２２及び用紙搬送路６２３の要所部分には、記録紙を搬送するための搬送ローラ６５が設けられている。
【００４７】
キャビネット７は、縦方向に複数（本実施形態では３つ）の収納棚７１，７２，７３が設けられている。さらに、各収納棚７１，７２，７３の内部には、水平方向に並ぶ複数の収納欄（収納ボックス、第２収納ボックス）が設けられている（後述）。これら各収納欄に、本体部２から搬送されてきた記録紙を収納可能となっている。また、各収納棚７１，７２，７３には、ポケット部７１１，７２１，７３１が設けられている。ポケット部７１１，７２１，７３１は、本体部２から搬送されてきた記録紙を受け取る場所であり、各ポケット部７１１，７２１，７３１まで搬送された記録紙は、各ポケット部７１１，７２１，７３１に設けられている搬送ローラ及び各収納欄に向かう搬送路によって、いずれかの収納欄まで振り分け搬送され、搬送先の収納欄に収納される。
【００４８】
各収納棚７１，７２，７３は水平方向にスライド移動自在に構成され、各収納棚の前面側には、引出用取手７１２，７２３，７３３が設けられている。操作者が引出用取手７１２，７２３，７３３に指を差し入れて、収納棚を手前に引き出すことにより、収納棚内の各収納欄の上方が開放され、操作者が収納欄内の記録紙を取り出すことができるようになっている。なお、本実施形態では、キャビネット７に一旦収納された記録紙を「文書」と呼ぶ。
【００４９】
次に、キャビネット７について詳細を説明する。図２はキャビネット７の収納棚７１に設けられているポケット部７１１部分を示す図である。収納棚７２，７３に設けられているポケット部７２１，７３１も同様の構成である。収納棚７１に設けられているポケット部７１１は、用紙振分機構６における用紙搬送路６１の記録紙搬送方向下流側の端部にある搬送ローラ６５近傍の記録紙排出口に連結する記録紙受入口７１１ａから記録紙がポケット部７１１内に搬入される。この時の記録紙は、用紙振分機構６側の搬送ローラ６５による搬送力で搬送されてくる。記録紙受入口７１１ａからポケット部７１１内に受け入れられた記録紙は、搬送ローラ６５によるニップから離脱した後、自重により落下して記録紙ストック部７１１ｂまで到達する。
【００５０】
図３は収納棚７１及び内部の収納欄を示す斜視図、図４は収納棚７１内に設けられたポケット部７１１、搬送ローラ及び搬送路を概略で示す平面図、図５はポケット部７１１に設けられた搬送ローラを示す側面図であり、（ａ）は記録紙搬入時の搬送ローラ位置を示す図、（ｂ）は収納欄に記録紙を搬送開始する時の搬送ローラ位置を示す図である。
【００５１】
図３及び図４に示すように、収納棚７１の内部には、複数の収納欄７１ａ，７１ｂ，７１ｃ，７１ｄ，７１ｅが設けられている。但し、収納欄の数は特に限定されない。また、ポケット部７１１には、ポケット部７１１内に搬入された記録紙を立てた状態で水平方向に搬送するための搬送ローラ７０１が、当該ポケット部７１１の両側部に設けられている。搬送ローラ７０１は、縦方向に延びる複数の各回転軸７０１ａに、複数の回転ローラ７０１ｂが取り付けられた構成とされ、図略の駆動源からの回転駆動力で回転軸７０１ａが回転すると、これに伴って回転ローラ７０１ｂが回転するようになっている。
【００５２】
搬送ローラ７０１をなす両側の回転軸７０１ａは、少なくともその一方が、記録紙搬送方向に直交する水平方向に移動可能に構成されている。用紙振分機構６から記録紙が搬入される時は、図５（ａ）に示すように、当該記録紙の両サイドに配設されている回転軸７０１ａは、記録紙からは一定間隔を有する離れた位置に移動し、搬入後の記録紙が収納欄７１ａ乃至７１ｅに搬送開始される時には、図５（ｂ）に示すように、記録紙に接する位置まで水平方向に移動するようになっている。この場合、記録紙の一側方に配設される複数の搬送ローラ７０１（回転軸７０１ａ）を支持する支持板（図略）が、ソレノイド等によって、水平方向に移動される機構を採用する。
【００５３】
また、ポケット部７１１から各収納欄７１ａ乃至７１ｅに向けて搬送路７１３が設けられている。この搬送路７１３は、記録紙を立てた状態で搬送可能な形状とされ、その要所に、記録紙を搬送するための搬送ローラ７１４等が搬送路７１３の両側に設けられている。この搬送路７１３は、収納欄７１ａ乃至７１ｅの各配設近傍で、収納欄７１ａ乃至７１ｅのそれぞれに向かう搬送路（図４には収納欄７１ａ，７１ｂ，７１ｃの搬送路７１３ａ，７１３ｂ，７１３ｃのみを示す）に分岐している。
【００５４】
搬送路７１３と上記搬送路７１３ａ，７１３ｂ，７１３ｃ等との各分岐点には、図略の分岐ガイドが設けられている。この分岐ガイドは、制御部１０からの制御信号に応じて、用紙振り分け機構６の振分搬送制御部６６（図７）が回転動作を駆動制御し、搬送路７１３を搬送される記録紙を収納欄７１ａ乃至７１ｅのいずれかに案内するようになっている。なお、搬送路７１３ａ，７１３ｂ，７１３ｃ等のそれぞれには、記録紙搬送方向下流側端部付近に、搬送ローラ７１４が設けられている。
【００５５】
図６は、収納棚７１内に設けられた収納欄７１ａ乃至７１ｃ部分を示す側断面図である。収納欄７１ａ乃至７１ｃの各底部７１０には、キャビネット７（複合機１）の前面側から背面側に向かって下り勾配となる傾斜が設けられている（収納欄７１ｄ，７１ｅも同様）。この底部７１０に設けられた傾斜により、搬送路７１３ａ，７１３ｂ，７１３ｃ等から搬送されてきた記録紙は、各収納欄７１ａ乃至７１ｅ内でキャビネット７の背面側に偏って収納されるので、記録紙は収納欄内で整然と配列される。そのため、記録紙が自重で様々な方向に倒れてしまい収拾がつかないといった事態を回避できる。
【００５６】
図７は複合機１の概略構成を示す機能ブロック図である。複合機１には、装置全体の動作制御を司る制御部１０が備えられている。この制御部１０には、露光ランプ４１及びＣＣＤ４２等からなる原稿画像の読み取りが可能なスキャナ部４０と、画像形成部１００とが接続されている。また、制御部１０には、スキャナ部４０で読み取られた文書データが一時的に保存される等の作業領域として使用される画像メモリ８２と、スキャナ部４０で読み取った原稿画像データを保存可能な大容量のＨＤＤ（内部記憶装置、画像データ記憶手段）８０が接続されている。
【００５７】
画像処理部８１は、スキャナ部４０による原稿読み取り時には、スキャナ部４０から出力されるアナログ画像信号をデジタル画像に変換し、画質を向上させる画像処理を施した後、圧縮画像に変換する。この圧縮画像は画像メモリ８２に書き込まれる。制御部１０は、画像メモリ８２に書き込まれた圧縮画像を、文書管理の対象となるファイルデータとしてＨＤＤ８０に格納する。また、登録文書のプリントアウト時には、ＨＤＤ８０又はネットワーク上の各コンピュータから、プリントアウト対象のファイルデータ（圧縮画像）が画像メモリ８２に書き出され、画像処理部８１は、当該圧縮されたファイルデータを伸張処理し、出力状態に応じた画像処理を施し、例えばレーザ露光の場合には、レーザ信号にアナログ変調する。このアナログ変調された信号に基づいて画像形成部１００でプリントアウトが行われる。
【００５８】
また、制御部１０は、複合機１が実行可能な各機能を制御するスキャナコントローラ１１，ファクシミリコントローラ１２，プリンタコントローラ１３，コピーコントローラ１４及びネットワークコントローラ１５として機能する。
【００５９】
スキャナコントローラ１１は、スキャナ部４０の動作に必要な各部の動作制御を行う。ファクシミリコントローラ１２は、ファクシミリ動作に必要な各部の動作制御を行うものであり、ファクシミリ通信に必要なデータの調整を行うファクシミリ通信部７４を制御する。ファクシミリ通信部７４には、データ送受信相手である相手先ファクシミリとの電話回線の接続を制御するＮＣＵ（Network Control Unit）が備えられている。コピーコントローラ１４は、コピー動作に必要な各部の動作制御を行う。プリンタコントローラ１３は、プリンタ動作に必要な各部の動作制御を行う。ネットワークコントローラ１５は、本複合機１とネットワーク上のコンピュータ等との間で行われるデータ送受信を制御する。複合機１に接続される外部機器とのデータ送受信はインタフェイス部７５を介して行われる。
【００６０】
また、操作者から各種の操作指示が入力される操作パネル部（収納先情報受付手段、文書特定情報受付手段）７８が複合機１に備えられており、この操作パネル部７８も制御部１０によって制御される。操作キー部７８１は、操作者によって印刷実行指示が入力されるスタートキーや、印刷部数等を入力するためのテンキー等からなる。表示部（報知手段）７８２は、各種複写動作の操作ガイド情報等を表示し、各種設定入力用にタッチパネル機能を有する液晶ディスプレイ等からなる。これら、テンキーやタッチパネルを用いて、後述する文書特定情報が操作者により複合機１に入力されるようになっている。
【００６１】
さらに、制御部１０は、画像形成部１００によって記録を終えた記録紙の搬送先及び収納先（上記キャビネット７における収納棚のいずれの収納欄に記録済み記録紙を収納するか）を決定する収納先管理部（収納先決定手段）１７としても機能する。また、収納先管理部１７は、管理用メモリ７６に記憶されている文書特定情報及びこれに関連付けられた収納先情報に基づいて、操作者により操作パネル部７８から入力された文書特定情報が示す文書がキャビネット７におけるいずれの収納棚の収納欄に収納されているかを判別する。さらに、収納先管理部１７は、スキャナ部４０によって読み取られた原稿画像から収納先情報又は文書特定情報を抽出し、この抽出した収納先情報に基づいて、当該読取の対象となった文書がキャビネット７におけるいずれの収納棚の収納欄に収納されているか、また、抽出した文書特定情報が示す文書がキャビネット７におけるいずれの収納棚の収納欄に収納されているかを判別する。
【００６２】
用紙排出機構（搬送手段）７９は、画像記録済みの記録紙を本体部２から用紙振分機構６、又は用紙排出部１０８に排出するために用紙搬送路の要所に設けられている排出ローラ対１１０等の搬送ローラ及び搬送ローラの駆動機構である。この用紙排出機構７９は制御部１０により駆動制御される。
【００６３】
管理用メモリ７６は、収納先情報及び文書特定情報を記憶する情報記憶部（収納先情報記憶手段、情報記憶手段）７６０を有する。情報記憶部７６０は、画像形成部１００によって記録された記録紙（文書）の収納先が、キャビネット７におけるいずれの収納棚のどの収納欄であるかの情報（すなわち収納先情報）を、各記録紙（文書）毎に当該記録紙（文書）の文書特定情報と、及びＨＤＤ８０に記憶されている当該文書の原稿画像データと関連付けて記憶している。また、情報記憶部７６０は、画像記録済みの記録紙（文書）を特定するために、記録紙のそれぞれに付された個別の特定情報を記憶している。この文書特定情報も、当該文書特定情報が示す記録紙（文書）の収納先情報、及び原稿画像データと関連付けて記憶されている。
【００６４】
また、管理用メモリ７６には、収納先管理部１７によって決定された収納先を示すバーコード画像が記憶されている。キャビネット７の各収納棚内部に設けられている各収納欄を示すバーコードの画像が記憶されている。制御部１０は、収納先管理部１７によって原稿画像記録済み記録紙の収納先が決定されると、管理用メモリ７６から決定された収納先を示すバーコードの画像を管理用メモリ７６から読み出し、画像形成部１００に当該バーコード画像を記録紙上に記録させる。
【００６５】
用紙振分機構（搬送手段）６は、搬送機構６７と、振分搬送制御部６６とを有している。搬送機構６７は、搬送ローラ６５及び分岐ガイド６３，６４等及びこれらの駆動機構である。振分搬送制御部６６は、本体部２の制御部１０からの指示に基づいて、搬送機構６７を駆動制御（必要な搬送ローラの駆動又は停止の制御、分岐ガイド６３，６４の回動制御）し、本体部２から搬送されてきた記録紙を、キャビネット７の収納棚７１，７２，７３まで搬送させる。
【００６６】
キャビネット７は、搬送機構（搬送手段）７００と、搬送機構制御部（搬送手段）７１０とを有している。搬送機構７００は、各収納棚７１，７２，７３のポケット部７１１，７２１，７３１に設けられた搬送ローラ７０１、搬送路７１３に設けられた搬送ローラ７１４、及びこれらの駆動機構である。搬送機構制御部７１０は、本体部２の制御部１０からの指示に基づいて、搬送機構７００を駆動制御（ポケット部７１１，７２１，７３１に設けられている搬送ローラ７０１を記録紙に接離させるための水平移動機構の駆動制御、搬送ローラ７０１及び必要な搬送ローラ７１４の駆動又は停止の制御等）し、用紙振分機構６から搬送されてきた記録紙を複数の収納欄のいずれかまで搬送させる。
【００６７】
次に、複合機１による記録済み記録紙をキャビネット７に収納する際に実行される処理の第１実施形態を説明する。図８は、複合機１による記録済み記録紙をキャビネット７に収納する際に実行される処理の第１実施形態を示すフローチャートである。
【００６８】
操作者によって、スキャナ部４０に原稿がセットされ、操作パネル部７８に複写指示が入力されると、制御部１０は、当該セットされた原稿をスキャナ部４０に読み取らせる（Ｓ１）。続いて、収納先管理部１７は、原稿画像記録後の記録紙の収納先（キャビネット７における収納棚７１乃至７３のいずれの収納欄に収納するか）を決定する（Ｓ２）。この収納先管理部１７による収納先の決定は、例えば、(1)収納棚及び収納欄の並び順に収納先を決定していくようにしてもよいし、(2)操作者が収納先管理部１７に上記記録紙を収納する順番を予め登録しておき、当該登録された順番で収納棚及び収納欄に記録紙が収納されていくようにしてもよい。
【００６９】
上記のようにして、原稿画像記録後の記録紙の収納先が決定されると、制御部１０は、スキャナ部４０によって読み取られた原稿画像データをＨＤＤ８０に記憶させると共に、この原稿画像データに関連付けて、収納先管理部１７によって決定された収納先情報を管理用メモリ７６内の情報記憶部７６０に記憶させる（Ｓ３）。
【００７０】
複合機１では、Ｓ２及びＳ３の処理後、制御部１０が、画像形成部１００に、上記原稿画像及び収納先情報に対応するバーコード画像を記録紙に記録させる（Ｓ４）。ここで、収納先情報に対応するバーコード画像の記録紙への記録は、制御部１０が、収納先管理部１７によって決定された収納先に対応するバーコード画像を管理用メモリ７６から読み出して、画像形成部１００に、原稿画像の記録に支障を与えない場所に対して行わせる。なお、管理用メモリ７６に、収納棚７１乃至７３の各収納欄を示す数字、記号等を記憶させておき、収納先情報に対応する画像として、制御部１０が、画像形成部１００に、これら数字、記号等を記録させるようにしてもよい。
【００７１】
なお、収納先管理部１７は、上記原稿画像データに対して、当該原稿画像データを他の原稿画像データと識別するための固有の情報である文書特定情報を付与して、当該原稿画像データ及び収納先情報と関連付けて、情報記憶部７６０に記憶させておく。
【００７２】
記録紙への原稿画像及び収納先情報の記録が終了すると、制御部１０は、用紙排出機構７９に、当該記録済み記録紙を、用紙振分機構６に向けて排出させる（Ｓ５）。用紙振分機構６に記録紙が到達すると、用紙振分機構６の振分搬送制御部６６が、本体部２の制御部１０からの指示に基づき、キャビネット７の指定された収納棚に向けて当該記録紙が振り分け搬送されるように、分岐ガイド６３及び６４のポジションを切り換え、必要な搬送ローラ６５を駆動して、指定された収納棚に向けて当該記録紙を搬送させる（Ｓ６）。
【００７３】
このように振り分け搬送される記録紙は、指定された収納棚７１乃至７３のいずれかに到達すると（ここでは収納棚７１に到達したものとして説明する）、記録紙は自重によりポケット部７１１に落ち込んで収まる。キャビネット７の搬送機構制御部７１０は、本体部２の制御部１０からの指示に基づいて搬送機構７００を駆動制御し、ポケット部７１１内の記録紙からは離れた位置（図５（ａ））にある搬送ローラ７０１を、回転ローラ７０１ｂが記録紙に接触する位置（図５（ｂ））まで移動させる（Ｓ７）。続いて搬送機構制御部７１０は、搬送機構７００に、搬送ローラ（搬送ローラ対）７０１，必要な搬送ローラ７１４を回転させると共に、分岐ガイドのポジションを切り換えて、記録紙を立てた状態で搬送路７１３に沿って、指定された収納欄まで振り分け搬送する（Ｓ８）。指定された収納欄まで搬送された記録紙は、当該収納欄内に収納される。
【００７４】
次に、複合機１による記録済み記録紙をキャビネット７に収納する際に実行される処理の第２実施形態を説明する。図９は、複合機１による記録済み記録紙をキャビネット７に収納する際に実行される処理の第２実施形態を示すフローチャートである。図９では、図８示した第１実施形態と同様の処理は同符号を付して説明を省略する。
【００７５】
上記図８に示した第１実施形態では、収納先管理部１７が、記録済み記録紙の収納先（収納棚及び収納欄）を決定していたが、操作者によって複合機１に複写指示が入力される度に（１つの複写ジョブ毎に）、操作者から当該記録済み記録紙の収納先を示す収納先情報の入力を受け付け、複合機１が、この受け付けられた収納先情報が示す収納先に、記録済み記録紙を搬送するようにしてもよい。
【００７６】
この場合、スキャナ部４０で原稿画像が読み取られ（Ｓ１）、操作者からの収納先情報の入力が操作パネル部７８に受け付けられると（Ｓ１１でＹＥＳ）、本体部２の制御部１０が、用紙振分機構６の振分搬送制御部６６に、当該受け付けられた収納先情報が示す収納棚に記録紙を搬送させる旨の指示を送出する。振分搬送制御部６６は、当該指示に従って、搬送機構６７に記録紙を、指定の収納棚まで振り分け搬送させる（Ｓ６）。他の処理は、第１実施形態と同様である。
【００７７】
なお、第２実施形態では、操作者から収納先情報が操作パネル部７８に入力されると、制御部１０が、当該入力された収納先情報が示す収納棚及び収納欄に記録紙を搬送及び収納するようにしているが、操作者から収納先情報の入力がなかった場合には、第１実施形態のＳ２と同様の処理を行って、収納先管理部１７が記録紙の収納先を決定するようにしてもよい。
【００７８】
次に、複合機１による記録紙の収納先報知処理の第１実施形態を説明する。図１０は、複合機１による記録紙の収納先報知処理の第１実施形態を示すフローチャートである。複合機１では、操作者がキャビネット７の収納棚の収納欄に収納されている文書（記録紙）を取り出して閲覧し、閲覧後に元の場所に戻したい場合には、スキャナ部４０に当該文書を読み取らせれば、当該文書の収納場所が報知されるようになっている。
【００７９】
操作者が一旦キャビネット７から取り出した記録紙をスキャナ部４０にセットし、操作パネル部７８から原稿画像読取指示（スキャン指示）が入力されると、制御部１０は、スキャナ部４０に、当該セットされた原稿の画像を読み取らせる（Ｓ２１）。
【００８０】
収納先管理部１７は、当該スキャナ部４０で読み取られた画像データから、収納先情報を示すバーコード画像を抽出する（Ｓ２２）。このバーコード画像の抽出方法は、(1)収納先管理部１７が、管理用メモリ７６に保有されているバーコード画像形成用データに一致するデータが、原稿画像データの中に存在するかを判別し、一致するデータが存在する場合には、一致するデータ部分をバーコード画像として抽出する、等による。なお、収納先情報が記号や数字で記録紙上に記録されている場合には、読み取られた原稿画像データにおける予め定められた位置（収納先情報の記録領域として予め設定されている位置）の画像部分に対してＯＣＲ（Optical Character Reader）処理を行い、収納先情報として記録されている記号や数字を抽出する、等による。
【００８１】
続いて、収納先管理部１７が、当該抽出されたバーコード画像に対応する収納先を、管理用メモリ７６に保有されている各バーコード画像と各収納先との対応関係に基づいて検索し、当該記録紙の収納先であるキャビネット７の収納棚及び収納欄を判別する（Ｓ２３）。なお、収納先情報が記号や数字等で記録紙上に記録されている場合には、抽出した記号や数字等に対応する収納先を、管理用メモリ７６に保有されている各数字、記号等と収納先との対応関係に基づいて検索し、当該記録紙の収納先であるキャビネット７の収納棚及び収納欄を判別する。
【００８２】
そして、制御部１０は、当該判別した収納棚及び収納欄を表示部７８２に表示させ（Ｓ２４）、操作者に対して当該記録紙の元の保管場所を認識させる。なお、この操作者に対する元の保管場所の報知は、表示部７８２による報知に限られず、音声発生装置等を設けて音声ガイドにより操作者に元の保管場所を報知する等の他の機構によるものでもよい。
【００８３】
次に、複合機１による記録紙の収納先報知処理の第２実施形態を説明する。図１１は、複合機１による記録紙の収納先報知処理の第２実施形態を示すフローチャートである。図１１では、図１０に示した第１実施形態と同様の処理は、同符号を付して説明を省略する。図１０に示した第１実施形態では、スキャナ部４０に読み取られた原稿画像データから収納先情報が抽出され、この収納先情報から収納先を判別して操作者に対して報知するようにしていたが、本第２実施形態では、操作者から操作パネル部７８に入力される文書特定情報（数字、記号等からなる）を受け付け（Ｓ３１でＹＥＳ）、収納先管理部１７が、入力された文書特定情報に関連付けられている収納先情報を情報記憶部７６０から読み出し（Ｓ３２）、当該収納先情報から、当該記録紙が収納されるべき収納棚及び収納欄を判別する（Ｓ３３）。この場合、操作者による操作パネル部７８への文書特定情報の入力操作が必要であるが、第１実施形態のような原稿画像データからバーコード画像を抽出する処理が不要であるので、当該記録紙を収納すべき収納棚及び収納欄の判別に要する時間が比較的短時間で足りる。
【００８４】
なお、本発明は上記実施の形態の構成に限られず種々の変形が可能である。例えば、上記図１０及び図１１に示した実施形態では、キャビネット７から操作者が取り出した文書（記録紙）は、元の保管場所である収納棚及び収納欄が報知されるだけで、この収納棚及び収納欄に対しては、操作者が自ら当該文書を収納するものであったが、図１２に示すように、スキャナ部４０に画像を読み取らせた記録紙は、読み取られた原稿画像データから抽出されたバーコード画像に基づいて、収納されるべき収納棚及び収納欄が判別されると共に、判別された収納棚及び収納欄に自動的に搬送及び収納がされるようにしてもよい。なお、図１２では、図８に示した実施形態と同様の処理は、同符号を付して説明を省略する。
【００８５】
この場合、原稿載置部３０１からスキャナ部４０の原稿読取部であるコンタクトガラス４０２に至るまでの用紙搬送路に、用紙振分機構６に向かう分岐を設け、この分岐点から用紙振分機構６の搬送路６０まで繋がる用紙搬送路を設ける。そして、上記用紙振分機構６に向かう分岐には、排紙台３０５から逆送されてきた記録紙を、用紙振分機構６の搬送路６０に案内できる分岐ガイドを設ける。すなわち、この分岐ガイドにより、記録紙の画像読取時には、原稿載置部３０１から搬送されてくる記録紙をコンタクトガラス４０２に案内し、記録紙を用紙振分機構６に搬送する時には、当該記録紙を用紙振分機構６の搬送路６０まで繋がる用紙搬送路に案内する。操作者により、スキャナ部４０に記録紙がセットされると、制御部１０は、まず、コンタクトガラス４０２まで搬送して原稿画像を読み取らせる（Ｓ４１）。そして、収納先管理部１７によって、読み取られた原稿画像データから抽出されたバーコード画像に基づいて収納されるべき収納棚及び収納欄が判別される（Ｓ４２，Ｓ４３）。
【００８６】
この後、制御部１０は、記録紙の一部が排出ローラ対３０４にニップされた状態で、この排出ローラ対３０４を反転させて記録紙の搬送方向を反対方向に切り換えて逆送させ（Ｓ４４）、さらに、上記分岐ガイドを、記録紙が用紙振分機構６に搬送される側に切り換え、用紙排出機構７９により、用紙振分機構６に向けて当該記録紙を搬送させる（Ｓ４５）。記録紙が用紙振分機構６まで搬送された後は、上記図８に示した実施形態と同様に、本体部２の制御部１０からの指示に基づいて、用紙振分機構６及びキャビネット７において、当該記録紙が、指定された収納棚及び収納欄に搬送される（Ｓ６，Ｓ７，Ｓ８）。
【００８７】
なお、本発明は上記実施の形態の構成に限られず種々の変形が可能である。例えば、上記図８及び図９に示す処理では、原稿画像データが記録された後の記録紙の収納先を、バーコード画像等により、記録紙に記録するようにしていたが、操作者が解読可能な文字による収納先の表記によって記録紙上への記録を行うようにしてもよい。この場合、操作者は、図１０のような収納先判別処理を経なくても、記録紙上に記録された収納先情報に基づいて直接的に、当該記録紙を戻すべき元の保管場所を把握することができる。
【００８８】
また、上記実施形態では、本発明に係る画像形成装置を複合機として説明しているが、スキャナ機能及びコピー機能を有する画像形成装置であれば、他の形式の画像形成装置でも構わない。
【００８９】
また、上記図１乃至図１２に示した構成及び処理は、本発明の一実施形態に過ぎず、本発明は図１乃至図１２に示した構成及び処理に限定されない。
【図面の簡単な説明】
【００９０】
【図１】本発明の一実施形態に係る画像形成装置の一例である複合機の内部構成を概略的に示す側面図である。
【図２】キャビネットの収納棚に設けられているポケット部を示す図である。
【図３】収納棚及び内部の収納欄を示す斜視図である。
【図４】収納棚内に設けられたポケット部、搬送ローラ及び搬送路を概略で示す平面図である。
【図５】ポケット部に設けられた搬送ローラを示す側面図であり、（ａ）は記録紙搬入時の搬送ローラ位置を示す図、（ｂ）は収納欄に記録紙を搬送開始する時の搬送ローラ位置を示す図である。
【図６】収納棚内に設けられた収納欄を示す側断面図である。
【図７】複合機１の概略構成を示す機能ブロック図である。
【図８】複合機による記録済み記録紙をキャビネットに収納する際に実行される処理の第１実施形態を示すフローチャートである。
【図９】複合機による記録済み記録紙をキャビネットに収納する際に実行される処理の第２実施形態を示すフローチャートである。
【図１０】複合機による記録紙の収納先報知処理の第１実施形態を示すフローチャートである。
【図１１】複合機による記録紙の収納先報知処理の第２実施形態を示すフローチャートである。
【図１２】複合機により記録紙を元の保管場所に搬送する場合の処理を示すフローチャートである。
【符号の説明】
【００９１】
１          複合機
４          原稿読取部
６          用紙振分機構
７          キャビネット
１０        制御部
１７        収納先管理部
４０        スキャナ部
６７        搬送機構
６０        搬送路
６６        振分搬送制御部
６１        用紙搬送路
６２        用紙搬送路
６２２      用紙搬送路
６２３      用紙搬送路
６３，６４  分岐ガイド
６３１，６４１  回転軸
６５        搬送ローラ
７０        搬送機構
７０１      搬送ローラ
７０１ａ    回転軸
７０１ｂ    回転ローラ
７１，７２，７３  収納棚
７１１，７２１，７３１  ポケット部
７１ａ，７１ｂ，７１ｃ，７１ｄ，７１ｅ  収納欄
７１０      底部
７１１ａ    記録紙受入口
７１１ｂ    記録紙ストック部
７１２，７２３，７３３  引出用取手
７１３      搬送路
７１３ａ，７１３ｂ，７１３ｃ  上記搬送路
７１４      搬送ローラ
７６        管理用メモリ
７６０      情報記憶部
７８        操作パネル部
７８２      表示部
７９        用紙排出機構
１００      画像形成部
【図１】
2007036898.tif 000003
【図２】
2007036898.tif 000004
【図３】
2007036898.tif 000005
【図４】
2007036898.tif 000006
【図５】
2007036898.tif 000007
【図６】
2007036898.tif 000008
【図７】
2007036898.tif 000009
【図８】
2007036898.tif 000010
【図９】
2007036898.tif 000011
【図１０】
2007036898.tif 000012
【図１１】
2007036898.tif 000013
【図１２】
2007036898.tif 000014